(57)【特許請求の範囲】
【請求項１】
電線を引き出す引出し部を有する配線部品本体と、前記引出し部から引き出された前記電線を挿通する挿通部を有するとともに前記引出し部と前記挿通部とが相互にずれた状態に前記配線部品本体に取付けられた押え部材とを備え、
前記配線部品本体は円筒形で開口縁に切欠を有し、前記押え部材は前記配線部品本体に嵌合する円柱形で前記切欠に係合する係合突起を外周面に有するとともに、中心に前記配線部品本体に取付ける取付部を有し、かつ前記挿通部は前記外周面に形成した凹溝であり、前記係合突起が前記切欠に係合した状態で前記引出し部および前記凹溝が相互にずれている配線部品の張力止め構造。
【発明の詳細な説明】
【０００１】
【発明の属する技術分野】
この発明は、張力止めを必要とする配線部品の張力止め構造に関するものである。
【０００２】
【従来の技術】
配線部品の張力止めは、一般に電気用品取締法に適合させたり、重量のある照明器具を吊り下げたりするときに必要となる。
第１の従来例を図１０に示す。すなわち、この配線部品の張力止め構造は、一対の突起１００を設けた本体１０１に電線１０２を配置し、突起１００間に対向する突起１０３を有するカバー１０４を本体１０１に取付けて、互い違いに電線１０２が突起１００，１０３に押え付け、これにより張力止めしている。
【０００３】
第２の従来例を図１１に示す。すなわち、この配線部品の張力止め構造は、本体１０１に設けた突起１０５，１０６で形成された溝１０７に電線１０８を曲げながら嵌め込んで張力止めし、嵌め込み後にカバー（図示せず）で蓋をする。
【０００４】
【発明が解決しようとする課題】
しかし、これらの従来例は、張力止め効果が弱く、しかも手で電線の曲げぐせをつけたり引回しをする必要があるため組立にくいという欠点があった。
したがって、この発明の目的は、張力止め効果を大きくでき、かつ組立性に優れた配線部品の張力止め構造を提供することである。
【０００５】
【課題を解決するための手段】
請求項１の配線部品の張力止め構造は、電線を引き出す引出し部を有する配線部品本体と、前記引出し部から引き出された前記電線を挿通する挿通部を有するとともに前記引出し部と前記挿通部とが相互にずれた状態に前記配線部品本体に取付けられた押え部材とを備え、
前記配線部品本体は円筒形で開口縁に切欠を有し、前記押え部材は前記配線部品本体に嵌合する円柱形で前記切欠に係合する係合突起を外周面に有するとともに、中心に前記配線部品本体に取付ける取付部を有し、かつ前記挿通部は前記外周面に形成した凹溝であり、前記係合突起が前記切欠に係合した状態で前記引出し部および前記凹溝が相互にずれているものである。
【０００６】
請求項１の配線部品の張力止め構造によれば、配線部品本体に押え部材が取付けられることにより、電線が自動的に曲げられて配線部品本体と押え部材の間で押え付けられるので確実な張力止めができ、コードに曲げくせをつけたり、曲げながら溝部などに押し込むといった前加工が一切不要となり組立やすくなる。
とくに、係合突起と切欠を係合させるので押え部材を位置決めしやすく、このとき押え部材の係合突起をもって押え部材を回すので組立がしやすい。また押え部材の係合突起を切欠に係合することにより押え部材を配線部品本体に接近する方向に降ろすので電線を確実に押えることができる。また押え部材を円柱形にしたので、一対の電線の場合でも組立時に電線間に差込みやすく、かつ電線を傷付けるおそれがない。
【０００８】
【発明の実施の形態】
この発明の一実施の形態を図１ないし図７により説明する。すなわち、この配線部品の張力止め構造は、照明器具の器具本体の取付けを兼ねた給電部品に適用したもので、配線部品本体１と、押え部材７とを有する。
配線部品本体１は、電線４５を引き出す引出し部８を有する。実施の形態では、図３に示すように配線部品本体１が引掛シーリング部４ａと給電部６からなる。引掛シーリング部４ａは天井３の引掛シーリングボディ４に引っ掛ける引掛爪５を有する。この引掛爪５は取付ねじ５１により引掛シーリング部４ａに固定している。９はロック爪１０を出没するロック解除ボタンであり、ロック解除ボタン９を押してロック爪１０を後退した状態で引掛シーリングボディ４に引掛爪５を引掛け、ロック解除ボンタ９を離すことによりロック爪１０を突出させ、引掛シーリングボディ４の凹部（図示せず）に係止して引掛シーリングボディ４の回転を規制し、これにより引掛シーリング部４ａの不用意な外れを防止している。
【０００９】
給電部６は引掛シーリング部４ａから垂下した円筒形で、孔を実施の形態とする引出し部８に通された電線４５の一端部を引掛爪５にスポット溶接等により接続し、電線４５の他端部を給電部６の下端部より外部に引出しており、その先端にはコネクタ４６を設けている。また給電部６の下端の開口縁に切欠１２を設けるとともに外周面にホルダ係合突起１１を設けている。ここで切欠１２と引出し部８の位置関係を、図５（ａ）に示すように給電部６の周方向に見て略９０度離れるようにしている。さらに給電部６の下端部の中心にねじ孔１７を形成している。
【００１０】
ホルダ２は、給電部６に嵌合して回転することによりホルダ係合突起１１に係止する逆Ｌ字形の係止溝（図示せず）を有する内筒２１と、この内筒２１に一体に設けられた外筒１８と、内筒２１および外筒１８の間に移動自在に設けられてばね（図示せず）により上方に付勢された器具支持部材２２とを有する。そして器具本体４７を天井３に位置させた状態でホルダ２の内筒２１を給電部６に嵌合しホルダ係合突起１１に係止溝を係合すると、器具支持部材２２が器具本体４７に当接しばねにより器具本体４７を天井３に押し上げて固定している。またコネクタ４６を、器具本体４７に設けた受け側のコネタク４８に接続して給電している。４９はランプソケット、５０は環形ランプである。
【００１１】
照明器具では、万が一、配線部品本体１とホルダ２の嵌合が外れたとき、器具本体４７が落下するのを電線４５で支えることになり、このとき配線部品本体１内での電線接続部分に大きな力が加わらないようにするため張力止めが必要となる。
押え部材７は、引出し部８から引き出された電線４５を挿通する挿通部１３を有するとともに、引出し部８と挿通部１３とが相互にずれた状態に配線部品本体１に取付けられている。実施の形態では、押え部材７が配線部品本体１に嵌合する円柱形で切欠１２に係合する係合突起１４を外周面に有するとともに、中心に配線部品本体１に取付ける取付部１５を有する。さらに具体的には押え部材７の外径と配線部品本体１の給電部６の内径がほぼ等しく、挿通部１３は外周面に形成した凹溝に形成し、取付部１５はねじ挿通孔により形成し、ねじ頭を隠蔽する凹部１６を端部に形成し、ねじ１９をねじ挿通孔に通してねじ孔１７にねじ込んで押え部材７を固定している。ここで、係合突起１４と挿通部１３の位置関係は図５（ｂ）に示すように、一直径方向に揃わないＸ字状の配置であり、周方向に約４５度程度離れている。また挿通部１３の引出し部８側の縁部に図７に示すように電線４５の曲がりを受ける曲面１３ａを形成し、電線４５を傷付けないようにしている。
【００１２】
この押え部材７は、図１に示すように一対の電線４５の間に挿入し、電線４５を挿通部１３に通すと電線４５に仮保持される。すなわち、電線４５は押え部材７の外径とほぼ同径の内径をもつ給電部６の内周より内側に位置する引出し部８から引き出され、かつ電線４５の先端はコネクタ４６で１箇所にまとめられているので、押え部材１３がコネクタ４６と引出し部８の間で電線４５の間に挿入すると仮保持が可能となる。つぎに押え部材７を手に持ち、突起１４に手を当てて押え部材７を回転し係合突起１４を切欠１２に係合する。このとき、切欠１２と引出し部８の位置関係および係合突起１４と挿通部１３の位置関係から、引出し部８および挿通部１３が相互に押え部材７の周方向にずれるので、図６および図７に示すように電線４５が略４５度自動的に曲げられる。そして押え部材７の係合突起１４を切欠１２に係合し、ねじ１９をねじ挿通部１５を通してねじ孔１７にねじ込むと押え部材７が配線部品本体１に固定される。その結果、押え部材７により電線４５が張力止めされることとなる。
【００１３】
この実施の形態によれば、配線部品本体１に押え部材７が取付けられることにより、電線４５が自動的に曲げられて配線部品本体１と押え部材７の間で押え付けられるので確実な張力止めができ、コードに曲げくせをつけたり、曲げながら溝部などに押し込むといった前加工が一切不要となり組立やすくなる。
また係合突起１４と切欠１２を係合させるので押え部材７を位置決めしやすく、このとき押え部材７の係合突起１４をもって押え部材７を回すので組立がしやすい。また押え部材７の係合突起１４を切欠１２に係合することにより押え部材７を配線部品本体１に接近する方向に降ろすので電線４５を確実に押えることができる。また押え部材７を円柱形にしたので、一対の電線４５の場合でも組立時に電線４５間に差込みやすく、かつ電線４５を傷付けるおそれがない。
【００１４】
また押え部材７の中央のねじ頭を収納するためのざぐりとなる凹部１６を設けたため、ねじ頭が隠れ、ねじ頭により電線４５等を傷つけるおそれがない。
さらに図７のように押え部材７の挿通部１３の縁を曲面１３ａに形成することにより電線４５を傷付けず、しかも電線押えと曲げ作業が一度に容易にできる。図８は、一対の電線４５を引き出した配線部品本体１と、一対の電線４５を挿通した押え部材７とを対向し、押え部材７を電線４５と平行な軸の回りに回して、配線部品本体１上に固定するものである。この場合、押え部材の固定時のねじ止め動作とともに押え部材が回るものでもよいが、突起や凹部などの回転位置決め手段を設けてもよい。なお固定手段はねじ等に限らないし回転位置決め手段も任意である。
【００１５】
図９は、押え部材７の挿通部１３の種々の実施の形態を示し、図（ａ）は第１の実施の形態と同様なＵ字形の切欠を示し、図（ｂ）は回動方向と反対側の壁１３ｂが平面となっており、押え部材１３の回動時に電線４５が外れにくい。図（ｃ）は壁１３ｂに凹み１３ｃを設けた例を示し、図（ｄ）は穴の場合である。
また押え部材７の回転を規制するため係合突起１４と切欠１３を設けたが、回転規制のための係合部と被係合部であればよく、たとえば係合突起１４が配線部品本体１側に設けられ切欠１３に対応する溝が押え部材７に設けられてもよく、また配線部品本体１の給電部６を円筒形でなく多角形の筒形にして回転規制したり、その他の手段を適用することができる。
【００１６】
【発明の効果】
請求項１の配線部品の張力止め構造によれば、配線部品本体に押え部材が取付けられることにより、電線が自動的に曲げられて配線部品本体と押え部材の間で押え付けられるので確実な張力止めができ、コードに曲げくせをつけたり、曲げながら溝部などに押し込むといった前加工が一切不要となり組立やすくなる。
とくに、係合突起と切欠を係合させるので押え部材を位置決めしやすく、このとき押え部材の係合突起をもって押え部材を回すので組立がしやすい。また押え部材の係合突起を切欠に係合することにより押え部材を配線部品本体に接近する方向に降ろすので電線を確実に押えることができる。また押え部材を円柱形にしたので、一対の電線の場合でも組立時に電線間に差込みやすく、かつ電線を傷付けるおそれがない。
【図面の簡単な説明】
【図１】この発明の一実施の形態の押え部材を取付ける前の斜視図である。
【図２】電線が押え部材に押えられた状態の底面図である。
【図３】半断面側面図である。
【図４】照明器具の電線に適用した状態の部分側面図である。
【図５】切欠と引出し部の位置関係および係合突起と挿通部の位置関係を示す説明図である。
【図６】押え部材の係合突起を切欠に係合した状態の説明図である。
【図７】電線が押え部材に押えられた状態の部分断面図である。
【図８】他の実施の形態の説明図である。
【図９】挿通部の種々の実施の形態の説明図である。
【図１０】第１の従来例の部分断面図である。
【図１１】第２の従来例の部分断面図である。
【符号の説明】
１    配線部品本体
７    押え部材
８    引出し部
１３    挿通部
１４    係合突起
１５    取付部
４５    電線
【図１】
0003618172.tif 000002
【図２】
0003618172.tif 000003
【図３】
0003618172.tif 000004
【図４】
0003618172.tif 000005
【図５】
0003618172.tif 000006
【図６】
0003618172.tif 000007
【図７】
0003618172.tif 000008
【図８】
0003618172.tif 000009
【図９】
0003618172.tif 000010
【図１０】
0003618172.tif 000011
【図１１】
0003618172.tif 000012